(57)【要約】 【課題】  多くの曲を提供することができる展示座を提供することを課題とする。【解決手段】展示台と、電気回路手段と、データ伝送ポートとを含んでなり、展示台が、座体と、該座体上に設けられた回転台とを含んでなり、該座体には音量の大きさを制御する音量切り替え手段と、異なる曲に制御、切り替える曲切り替え手段と、を具えてなり、電気回路手段が、座体内に設けられ、該電気回路手段にはスピーカー部と、予め複数の曲を保存することができる保存部とを含んでなり、データ伝送ポートが、展示台に設けられ、外接手段との通信を選択して接続することができ、音量切り替え手段と、曲切り替え手段と、データ伝送ポートとが、電気回路手段と電気的に接続し、このため、保存手段に予め保存された曲以外の音声データをデータ伝送ポートを介して選択して再生することできる構造からなる。【選択図】  図５
0003166521.tif 000002
【実用新案登録請求の範囲】
【請求項１】
展示台と、電気回路手段と、データ伝送ポートとを含んでなり、
該展示台が、座体と、該座体上に設けられた回転台とを含んでなり、該座体には音量の大きさを制御する音響切り替え手段と、異なる曲に制御、切り替える曲目切り替え手段と、を具えてなり、
該電気回路手段が、座体内に設けられ、該電気回路手段にはスピーカー部と、予め複数の曲を保存することができる保存部とを含んでなり、
該データ伝送ポートが、展示台に設けられ、外接手段との通信を選択して接続することができ、
該音響切り替え手段と、曲目切り替え手段と、データ伝送ポートとが、電気回路手段と電気的に接続し、保存手段に予め保存された曲以外の音声データをデータ伝送ポートを介して選択して再生することできる構造からなることを特徴とする展示座。
【請求項２】
前記データ伝送ポートが、ＵＳＢ通信ポートであることを特徴とする請求項１に記載の展示座。
【請求項３】
前記外接手段が、携帯式のメディア再生器であることを特徴とする請求項２に記載の展示座。
【請求項４】
前記外接手段が、ＭＰ３の再生器であることを特徴とする請求項２に記載の展示座。
【請求項５】
前記外接手段が、ＵＳＢメモリ、ＵＳＢマイクロドライブ、フラッシュメモリなど少なくとも一以上の保存手段のカードリーダーであることを特徴とする請求項２、或いは３に記載の展示座。
【請求項６】
前記フラッシュメモリが、少なくともＣＦ（Compact  Flash）、ＭＳ（磁気ストライプカード）、ＳＭ（スマートメモリ）、ＭＭＣ（Multi  Media  Card）、ＳＤ（Secure  Digitalメモリーカード）、ＸＤ（eXtreme  Digitalピクチャーカード）などフラッシュメモリカードの規格に対応することを特徴とする請求項５に記載の展示座。
【請求項７】
前記外接手段が、デジタル映像再生手段の接続座とすることを特徴とする請求項２に記載の展示座。
【請求項８】
前記データ伝送ポートが、カードリーダーのインタフェイスで、外接手段が、少なくともＣＦ（Compact  Flash）、ＭＳ（磁気ストライプカード）、ＳＭ（スマートメモリ）、ＭＭＣ（Multi  Media  Card）、ＳＤ（Secure  Digitalメモリーカード）、ＸＤ（eXtreme  Digitalピクチャーカード）などの規格のフラッシュメモリカードであることを特徴とする請求項１に記載の展示座。
【請求項９】
前記データ伝送ポートが、ワイヤレス通信ポートで、少なくともブルートゥース、赤外線、ＩＥＥＥ８０２．１１の通信基準に合わせることができ、外接手段は少なくとも前述のデータ伝送ポートと同様の通信基準を具えたワイヤレス通信インタフェイスの保存手段からなることを特徴とする請求項１に記載の展示座。
【請求項１０】
前記外接手段が、ブルートゥースのＭＰ３再生器であることを特徴とする請求項１に記載の展示座。
【請求項１１】
曲名、曲目番号、音量の大小を表示する表示モニタを具えてなることを特徴とする請求項１に記載の展示座。
【請求項１２】
発光手段が、座体内に設けられ、電気回路手段と電気的に接続し、該発光手段が回転台に向けて光源から光線を照射することを特徴とする請求項１に記載の展示座。
【請求項１３】
前記回転台が、一層の板、或いはフレームからなることを特徴とする請求項１に記載の展示座。
【請求項１４】
前記座体が、方形、或いは円形であることを特徴とする請求項１に記載の展示座。
【考案の詳細な説明】
【技術分野】
【０００１】
この考案は、展示座であって、特に商品を回転自在に展示することができる展示座に関する。
【背景技術】
【０００２】
図１は、従来の展示座１０ａを示したものである。
【０００３】
図面によれば、該展示座１０ａは、腕時計、ブランド品、芸術品など、精巧で価値が高い、芸術性にも優れた製品１２ａを展示するために供する。
【０００４】
また、従来の展示座１０ａは、底部に設けられた光源１４ａで底から上方に向けて光線を照射して陳列効果を高めることができる。
【０００５】
図２に開示するように、従来の展示座１０ａは、顧客の需要に応じて音響手段１６ａを設けてもよい。
【０００６】
該展示座１０ａに設けられた音響手段１６ａは、消費者に聞かせるために予め選択した曲を保存して提供する。
【０００７】
よって、全体的に芸術的な需要や音楽性の需要の高い展示座で、ハイテクの３Ｃ関連製品、宗教関連製品や芸術品などに適している。
【０００８】
しかしながら、予め保存できる曲数は通常、あまり多くなく、且つ、一般的に人々が聞きたい曲の基準も一定ではないため、消費者の需要を満足させることができず、幅広く様々な展示の需要に応じることが難しい。
【考案の開示】
【考案が解決しようとする課題】
【０００９】
この考案は、多くの曲を提供することができる展示座を提供することを課題とする。
【課題を解決するための手段】
【００１０】
そこで、本考案者は従来の技術に見られる欠点に鑑みて鋭意研究を重ねた結果、展示台と、電気回路手段と、データ伝送ポートとを含んでなり、
該展示台が、座体と、該座体上に設けられた回転台とを含んでなり、該座体には音量の大きさを制御する音響切り替え手段と、異なる曲に制御、切り替える曲目切り替え手段と、を具えてなり、
該電気回路手段が、座体内に設けられ、該電気回路手段にはスピーカー部と、予め複数の曲を保存することができる保存部とを含んでなり、
該データ伝送ポートが、展示台に設けられ、外接手段との通信を選択して接続することができ、
該音響切り替え手段と、曲目切り替え手段と、データ伝送ポートとが、電気回路手段と電気的に接続し、このため、保存手段に予め保存された曲以外の音声データをデータ伝送ポートを介して選択して再生することできる構造からなる展示座によって課題を解決できる点に着眼し、かかる知見に基づいて本考案を完成させた。
【００１１】
以下、この考案について具体的に説明する。
請求項１に記載の展示座は、展示台と、電気回路手段と、データ伝送ポートとを含んでなり、
該展示台が、座体と、該座体上に設けられた回転台とを含んでなり、該座体には音量の大きさを制御する音響切り替え手段と、異なる曲に制御、切り替える曲目切り替え手段と、を具えてなり、
該電気回路手段が、座体内に設けられ、該電気回路手段にはスピーカー部と、予め複数の曲を保存することができる保存部とを含んでなり、
該データ伝送ポートが、展示台に設けられ、外接手段との通信を選択して接続することができ、
該音響切り替え手段と、曲目切り替え手段と、データ伝送ポートとが、電気回路手段と電気的に接続し、このため、保存手段に予め保存された曲以外の音声データをデータ伝送ポートを介して選択して再生することできる構造からなる。
【００１２】
請求項２に記載の展示座は、請求項１におけるデータ伝送ポートが、ＵＳＢ通信ポートである。
【００１３】
請求項３に記載の展示座は、請求項２における外接手段が、携帯式のメディア再生器である。
【００１４】
請求項４に記載の展示座は、請求項３における外接手段が、ＭＰ３の再生器である。
【００１５】
請求項５に記載の展示座は、請求項２、或いは３における外接手段が、ＵＳＢメモリ、ＵＳＢマイクロドライブ、フラッシュメモリなど少なくとも一以上の保存手段のカードリーダーである。
【００１６】
請求項６に記載の展示座は、請求項５におけるフラッシュメモリカードが、少なくともＣＦ（Compact  Flash）、ＭＳ（磁気ストライプカード）、ＳＭ（スマートメモリ）、ＭＭＣ（Multi  Media  Card）、ＳＤ（Secure  Digitalメモリーカード）、ＸＤ（eXtreme  Digitalピクチャーカード）などフラッシュメモリカードの規格に対応する。
【００１７】
請求項７に記載の展示座は、請求項２における外接手段が、デジタル映像再生手段の接続座とする。
【００１８】
請求項８に記載の展示座は、請求項１におけるデータ伝送ポートが、カードリーダーのインタフェイスで、外接手段が、少なくともＣＦ（Compact  Flash）、ＭＳ（磁気ストライプカード）、ＳＭ（スマートメモリ）、ＭＭＣ（Multi  Media  Card）、ＳＤ（Secure  Digitalメモリーカード）、ＸＤ（eXtreme  Digitalピクチャーカード）などの規格のフラッシュメモリカードである。
【００１９】
請求項９に記載の展示座は、請求項１におけるデータ伝送ポートが、ワイヤレス通信ポートで、少なくともブルートゥース、赤外線、ＩＥＥＥ８０２．１１の通信基準に合わせることができ、外接手段は少なくとも前述のデータ伝送ポートと同様の通信基準を具えたワイヤレス通信インタフェイスの保存手段からなる。
【００２０】
請求項１０に記載の展示座は、請求項９における外接手段が、ブルートゥースのＭＰ３再生器である。
【００２１】
請求項１１に記載の展示座は、請求項１における展示座が曲名、曲目番号、音量の大小を表示する表示モニタを具えてなる。
【００２２】
請求項１２に記載の展示座は、請求項１における発光手段が、座体内に設けられ、電気回路手段と電気的に接続し、該発光手段が回転台に向けて光源から光線を照射する。
【００２３】
請求項１３に記載の展示座は、請求項１における回転台が、一層の板、或いはフレームからなる。
【００２４】
請求項１４に記載の展示座は、請求項１における座体が、方形、或いは円形である。
【考案の効果】
【００２５】
この考案による展示座は、展示目的に合わせて音楽を選択できるため芸術性を高めるという効果を有する。
【考案を実施するための最良の形態】
【００２６】
この考案は、多くの曲を提供することができる展示座であって、展示台と、電気回路手段と、データ伝送ポートとを含んでなり、
該展示台が、座体と、該座体上に設けられた回転台とを含んでなり、該座体には音量の大きさを制御する音響切り替え手段と、異なる曲に制御、切り替える曲目切り替え手段と、を具えてなり、
該電気回路手段が、座体内に設けられ、該電気回路手段にはスピーカー部と、予め複数の曲を保存することができる保存部とを含んでなり、
該データ伝送ポートが、展示台に設けられ、外接手段との通信を選択して接続することができ、
該音響切り替え手段と、曲目切り替え手段と、データ伝送ポートとが、電気回路手段と電気的に接続し、このため、保存手段に予め保存された曲以外の音声データをデータ伝送ポートを介して選択して再生することできる構造からなることを特徴とする展示座の構造と特徴を詳述するために具体的な実施例を挙げ、図示を参照にして以下に説明する。
【実施例】
【００２７】
図３、図４は、この考案の展示座１０を示したものである。
【００２８】
図面によれば、該展示座１０は、展示台２０と、電子回路手段３０と、発光手段４０と、データ伝送ポート５０とを含んでなる。
【００２９】
該展示台２０は、座体２２と、該座体２２上に設けられた回転台２４とを含んでなる。
【００３０】
該座体２２は、音響切り替え手段２２２と、曲目切り替え手段２２４と、表示モニタ２２６とを含んでなる。
【００３１】
該電子回路手段３０は、座体２２内部に設けられる。該電子回路手段３０は、スピーカー部３２と、保存部３４とを含んでなる。
【００３２】
データ伝送ポート５０は、展示台２０に設けられ、外接手段６０と通信を選択できる状態で接続する。
【００３３】
該音響切り替え手段２２２は、音量の大きさを制御するために供する。
【００３４】
曲目切り替え手段２２４は、異なる曲目を制御、切り替えるために供する。
【００３５】
該表示モニタ２２６は、少なくとも曲名、曲目番号、或いは音量の大きさを表示するために供する。
【００３６】
該保存部３４は、複数の曲目を予め保存することができる。
【００３７】
該発光手段４０は、座体２２内部に設けられ、回転台２４に向けて光線を照射するために供する。
【００３８】
該音響切り替え手段２２２、曲目切り替え手段２２４、表示モニタ２２６、発光手段４０、データ伝送ポート５０はいずれも電気回路手段３０に電気的に接続する。
【００３９】
よって、保存部３４に予め保存された曲目以外の音声データは、データ伝送ポート５０を介して選択して音楽を流すことができる。
【００４０】
この考案の展示座は、曲目が豊富で柔軟性に富み、予め設定された曲目の制限を受けることがないため、様々な展示目的に幅広く対応することができるとともに、全体の芸術性を高めることができる。
【００４１】
図５は、この考案の展示座１０を水晶の展示品７０に応用した状態を示した説明図である。
【００４２】
水晶の展示品７０は、回転台２４上に設ける。該回転台２４は、座体２２の内部に設けられた駆動モータ（図示しない）で駆動して回転する。
【００４３】
該駆動モータは、電気回路手段３０に電気的に接続する。
【００４４】
回転する展示座１０は、電源手段（図示しない）を具えてなり、該電源手段は電池の電源、或いはコネクタの電源からなり、電源を供する。
【００４５】
該発光手段４０は、水晶の展示品７０に展示用の光源を供し、ＬＥＤを光源とする。
【００４６】
通常、回転する展示座１０の内部には保存手段３４が設けられ、予め数曲が保存され固定して設けられるが、水晶の展示品７０には宗教音楽を合わせたいなど異なる需要に対応することができない。
【００４７】
使用者は外接手段６０（メモリカード）を座体２２上のデータ伝送ポート５０に挿入し、切り替え手段２２４を介して曲目を切り替えることができる。
【００４８】
該曲目切り替え手段２２４は、少なくとも２つのボタンを含んでなり、それぞれ前送りと、後ろ送りを表示してなる。
【００４９】
使用者は音響切り替え手段２２２を利用して音量、或いは音楽の一時停止などを選択することができる。
【００５０】
該音響切り替え手段２２２は、少なくとも二つの音量ボタンと、再生ボタンとを含んでなる。
【００５１】
二つの音量ボタンはそれぞれ音量の大きさを表示し、再生ボタンは少なくとも再生、一時停止、或いは停止を表示し、スピーカー部３２を介して好みの曲を聴くことができる。
【００５２】
また、使用者は表示モニタ２２６を介して上述のデータを得ることができる。
【００５３】
データ伝送ポート５０と、外接手段６０（メモリカード）は、互いにデータを読み取ることができ、少なくともＣＦ（Compact  Flash）、ＭＳ（磁気ストライプカード）、ＳＭ（スマートメモリ）、ＭＭＣ（Multi  Media  Card）、ＳＤ（Secure  Digitalメモリーカード）、ＸＤ（eXtreme  Digitalピクチャーカード）などフラッシュメモリカードの規格に対応する。
【００５４】
主に、外接手段６０（メモリカード）が大量のマルチメディアデータを具えてなり、充分な曲数を提供するだけでなく、携帯可能なメディアとしての機能も具えてなり、使用者は需要に応じて外接手段６０（メモリカード）内に保存した曲を再生することができるため、座体２２内の保存手段３４に保存された曲数が少ないという問題を解決することができる。
【００５５】
図６から図１０は、この考案の他の実施形態を示したものである。
【００５６】
データ伝送ポート５０’は、ＵＳＢ通信ポートであって、外接手段は、ＵＳＢメモリ（図６に開示する外接手段６０’）、マイクロドライブ、外付けのハードディスク（図７に開示する外接手段６０”）などＵＳＢ通信ポートを具えた保存手段からなる。
【００５７】
カードリーダーは、少なくともＣＦ（Compact  Flash）、ＭＳ（磁気ストライプカード）、ＳＭ（スマートメモリ）、ＭＭＣ（Multi  Media  Card）、ＳＤ（Secure  Digitalメモリーカード）、ＸＤ（eXtreme  Digitalピクチャーカード）などの規格のフラッシュメモリカードを読み取ることができる。
【００５８】
図８に開示するように、外接手段６０”は、携帯式の再生機器であって、携帯して音声を再生することができるＭＰ３再生器からなる。
【００５９】
また、図９に開示するように、外接手段６０’”’は、デジタル映像再生手段の接続座を合わせてなり、必要な曲を得ることができる。
【００６０】
データ伝送ポートはワイヤレス通信ポートであって、少なくともブルートゥース、赤外線、ＩＥＥＥ８０２．１１の通信基準に合わせることができる。
【００６１】
外接手段は少なくとも前述のデータ伝送ポートと同様の通信基準を具えたワイヤレス通信インタフェイスの保存手段からなる。
【００６２】
図１０に開示するように、データ伝送ポートはブルートゥースのワイヤレス通信ポート８０で、外接手段はブルートゥースのＭＰ３再生器９０からなる。
【００６３】
この考案は、外接手段の規格や実際の形態に制限されることがなく、外接の手段が携帯でき、幅広く使用できるため、保存手段３４に予め保存された曲以外の音楽データを読み取り、選択して再生することができる。
【００６４】
よって、予め設定された曲の制限を受けることがなく、様々な展示目的に合わせて幅広く使用することができ、芸術性を高めることができる。
【００６５】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案登録請求の範囲に属するものとする。
【図面の簡単な説明】
【００６６】
【図１】従来の展示座を示した説明図である。
【図２】従来の展示座の他の実施形態を示した説明図である。
【図３】この考案の展示座を示した斜視図である。
【図４】この考案の展示座の構造を示したブロック図である。
【図５】この考案の展示座の他の実施形態を示した説明図である。
【図６】この考案の展示座のその他の実施形態を示した説明図である。
【図７】この考案の展示座のその他の実施形態を示した説明図である。
【図８】この考案の展示座のその他の実施形態を示した説明図である。
【図９】この考案の展示座のその他の実施形態を示した説明図である。
【図１０】この考案の展示座のその他の実施形態を示した説明図である。
【符号の説明】
【００６７】
１０       展示座
１０ａ     展示座
１２ａ     製品
１４ａ     光源
１６ａ     音響手段
２０       展示台
２２       座体
２２２     音響切り替え手段
２２４     曲目切り替え手段
２２６     表示モニタ
２４       回転台
３０       電子回路手段
３２       スピーカー部
３４       保存部
４０       発光手段
５０、５０’   データ伝送ポート
６０、６０’、６０”、６０’”、６０’”’  外接手段
７０       水晶の展示品
８０       ワイヤレス通信ポート
９０       ＭＰ３再生器
【図１】
0003166521.tif 000003
【図２】
0003166521.tif 000004
【図３】
0003166521.tif 000005
【図４】
0003166521.tif 000006
【図５】
0003166521.tif 000007
【図６】
0003166521.tif 000008
【図７】
0003166521.tif 000009
【図８】
0003166521.tif 000010
【図９】
0003166521.tif 000011
【図１０】
0003166521.tif 000012